(57)【要約】【課題】ポップアップ動作に最適な付勢力を備えたコイルバネを用い、ポップアップ動作時のブレやノイズを押さえる閃光装置のポップアップ機構を提供する。【解決手段】ポップアップ位置と格納位置とを移動可能に支承されている閃光装置９と、閃光装置９を支持する支持部材１７と、支持部材１７が閃光装置９のポップアップ位置と格納位置とに亘って回動自在に取り付けられたベース板１６と、両端がベース板１６に挿通され、支持部材１７をベース板１６に軸支させる軸部材２２と、軸部材２２に挿通されるとともに、一端がベース部材１６に係止され、他端が支持部材１７に係止されることにより、支持部材１７を閃光装置９のポップアップ位置に付勢するコイルバネ３０と、支持部材１７を閃光装置９の格納位置に係止させる係止手段１９とを備え、軸部材２２には、コイルバネ３０との間にコイルバネ３０の径に応じた径を有する中空円筒状のスリーブ部材４５が嵌合されている。【選択図】図５
2005077537.tif 000002
【特許請求の範囲】
【請求項１】
ポップアップ位置と格納位置とを移動可能に支承されている閃光装置と、
上記閃光装置を支持する支持部材と、
上記支持部材が上記閃光装置のポップアップ位置と格納位置とに亘って回動自在に取り付けられたベース板と、
両端が上記ベース板に挿通され、上記支持部材を上記ベース板に軸支させる軸部材と、
上記軸部材に挿通されるとともに、一端が上記ベース部材に係止され、他端が上記支持部材に係止されることにより、上記支持部材を上記閃光装置のポップアップ位置に付勢するコイルバネと、
上記支持部材を上記閃光装置の上記格納位置に係止させる係止手段とを備え、
上記軸部材には、上記コイルバネとの間に該コイルバネの径に応じた径を有する中空円筒状のスリーブ部材が嵌合されている閃光装置のポップアップ機構。
【請求項２】
ポップアップ位置と格納位置とを移動可能に支承されている閃光装置と、
上記閃光装置を支持する支持部材と、
上記支持部材が上記閃光装置のポップアップ位置と格納位置とに亘って回動自在に取り付けられたベース板と、
両端が上記ベース板に挿通され、上記支持部材を上記ベース板に軸支させる軸部材と、
上記軸部材に挿通されるとともに、一端が上記ベース部材に係止され、他端が上記支持部材に係止されることにより、上記支持部材を上記閃光装置のポップアップ位置に付勢するコイルバネと、
上記支持部材を上記閃光装置の上記格納位置に係止させる係止手段とを備え、
上記ベース板は、上記閃光装置のポップアップ位置に回動された上記支持部材が突き当てられることにより上記支持部材の回動を規制する規制板を備え、該規制板に、上記支持部材の突き当て時における衝撃を吸収する弾性部材が取り付けられている閃光装置のポップアップ機構。
【請求項３】
装置本体のポップアップ位置と格納位置とを移動可能に支承されている閃光装置と、
上記閃光装置を支持する支持部材と、
上記支持部材が上記閃光装置のポップアップ位置と格納位置とに亘って回動自在に取り付けられたベース板と、
両端が上記ベース板に挿通され、上記支持部材を上記ベース板に軸支させる軸部材と、
上記軸部材に挿通されるとともに、一端が上記ベース部材に係止され、他端が上記支持部材に係止されることにより、上記支持部材を上記閃光装置のポップアップ位置に付勢するコイルバネと、
上記支持部材を上記閃光装置の上記格納位置に係止させる係止手段と、
上記軸部材には、上記コイルバネとの間に該コイルバネの径に応じた径を有する中空円筒状のスリーブ部材が嵌合されている閃光装置のポップアップ機構を備える撮像装置。
【請求項４】
装置本体のポップアップ位置と格納位置とを移動可能に支承されている閃光装置と、
上記閃光装置を支持する支持部材と、
上記支持部材が上記閃光装置のポップアップ位置と格納位置とに亘って回動自在に取り付けられたベース板と、
両端が上記ベース板に挿通され、上記支持部材を上記ベース板に軸支させる軸部材と、
上記軸部材に挿通されるとともに、一端が上記ベース部材に係止され、他端が上記支持部材に係止されることにより、上記支持部材を上記閃光装置のポップアップ位置に付勢するコイルバネと、
上記支持部材を上記閃光装置の上記格納位置に係止させる係止手段とを備え、
上記ベース板は、上記閃光装置のポップアップ位置に回動された上記支持部材が突き当てられることにより上記支持部材の回動を規制する規制板を備え、該規制板に、上記支持部材の突き当て時における衝撃を吸収する弾性部材が取り付けられている閃光装置のポップアップ機構を備える撮像装置。
【請求項５】
上記弾性部材は、導熱性弾性体からなり、上記閃光装置の閃光により発生する熱を該弾性部材を介して上記ベース板に導熱することを特徴とする請求項４記載の閃光装置のポップアップ機構を備える撮像装置。
【発明の詳細な説明】
【技術分野】
【０００１】
本発明は、例えばストロボ等の閃光装置のポップアップ機構及び閃光装置を備えた撮像装置に関する。
【背景技術】
【０００２】
従来より、静止画又は動画の撮像装置において、光量不足を補う閃光装置（以下、「ストロボ装置という。」）を備えたものがある。この種の撮像装置１００におけるストロボ装置１０１は、不使用時には図１３に示すように、装置本体１０２内に格納され、使用時に図１４に示すように、ボタン操作又はオートでポップアップ動作される。このストロボ装置１０１のポップアップ機構１０３は、図１５に示すように、装置本体１０２に固定されたベースフレーム１０５と、ベースフレーム１０５にポップアップ位置と格納位置とに亘って回動可能に支持されるとともにストロボ装置１０１が取り付けられた可動フレーム１０６と、可動フレーム１０６をポップアップ位置に付勢するコイルバネ１０７と、ベースフレーム１０５に回転自在に取り付けられ可動フレーム１０６をストロボ装置１０１の格納位置に係止させる作動部材１０８とを備える。
【０００３】
可動フレーム１０６を支持するベースフレーム１０５は、可動フレーム１０６を支持する軸１１０が挿通される軸孔１１１を備える一対の軸受け板１１２，１１２を有する。ベースフレーム１０５は、軸受け板１１２，１１２間に軸１１０が挿通されると共に、軸受け板１１２，１１２の外方に突出された軸１１０の両端部が可動フレーム１０５に挿通されることにより、可動フレーム１０５を軸１１０を支点に回動可能に支持している。また、軸受け板１１２，１１２には、可動フレーム１１０の回動領域を規制するガイドピン１１４が設けられている。ガイドピン１１４は、可動フレーム１０６に設けられた円弧状のガイド孔１１５に挿通されることにより、ガイド孔１１５に沿って可動フレーム１０６の回動をガイドする。また、一方の軸受け板１１２には、軸１１０に挿通されるコイルバネ１０７の一端が係止されるバネ係止部１１６が形成されている。
【０００４】
このベースフレーム１０５に回動可能に支持される可動フレーム１０６は、ストロボ装置１０１の外装体１１７が取り付けられる主面部１１８と、主面部１１８の両端より立ち上がり形成された一対の側壁１１９，１１９とを備える。可動フレーム１０５の主面部１１８には、コイルバネ１０７の他端が係止されるバネ係止部１２０が設けられている。また、主面部１１８は、係止片１２１が突設され、後述する作動部材１０８のフックに係合されるワイヤ１２２が設けられている。この主面部１１８の両端より立ち上がり形成された側壁１１９，１１９は、ベースフレーム１０５の軸受け板１１２に軸支された軸１１０の両端が挿通される軸孔１２４と、ガイドピン１１４が挿通されるガイド孔１１５とが開口されている。
【０００５】
そして、可動フレーム１０６は、ベースフレーム１０５に挿通された軸１１０が挿通されると共に、軸１１０に挿通されたコイルバネ１０７の他端が係止されることにより、図１６に示すように、コイルバネ１０７の付勢力によって、常時、主面部１１８に取り付けられた外装体１１７をポップアップ位置に回動させる図１６中矢印Ｕ方向へ付勢されている。
【０００６】
この可動フレーム１０６をストロボ装置１０１の格納位置に係止させる作動部材１０８は、ベースフレーム１０５に回転自在に取り付けられ、上記可動フレーム１０６の主面部１１８に設けられたワイヤ１２２が係止されるフック１２５と、作動部材１０８の回動を規制するプランジャー１２６と接続された係合アーム１２７とを備える。
【０００７】
フック１２５は、先端に可動フレーム１０６のワイヤ１２２が係合される係合斜面１２５ａが設けられている。この係合斜面１２５ａは、ワイヤ１２２との摩擦角より大きく設定されている。また、係合アーム１２７は、プランジャー１２６と接続されることにより、作動部材１０８を回転させ、フック１２５と可動フレーム１２５のワイヤ１２２との係合を解除させる。プランジャー１２６は、鉄片１２６ａを備え、この鉄縁１２６ａと係合アーム１２７とが接続される。そして、プランジャー１２６は、鉄片１２６ａを磁気吸着することにより作動部材１０８の回転を規制し、フック１２５と可動フレーム１０６のワイヤ１２２との係合を保持させ、また、鉄片１２６ａの磁気吸着が解除されることにより作動部材１０８の回転を自由にさせる。
【０００８】
そして、ストロボ撮影を行う際、作動部材１０８は、プランジャー１２６による鉄片１２６ａの磁気吸着が解除され、ポップアップ位置に付勢されている可動フレーム１０６の主面部１１８に取り付けられたワイヤ１２２によって、コイルバネ１０７の付勢力を受けたフック１２５が係合斜面１２５ａに沿って押圧されて、回転される。フック１２５とワイヤ１２２との係合が解除されると、可動フレーム１０６は、コイルバネ１０７の付勢力により図１６中矢印Ｕ方向に回動される。これにより、ストロボ装置１０１は、ポップアップ位置まで上昇され、発光可能とされる。なお、作動部材１０８は、可動フレーム１０６がポップアップ位置へ回動された後、再度プランジャー１２６が鉄片１２６ａを磁気吸着することにより回転され、フック１２５が可動フレーム１０６のワイヤ１２２を係合可能に待機する。
【０００９】
ストロボ装置１０１を格納する場合は、ユーザによって外装体１１７が格納位置に押し下げられる。ストロボフレーム１１７が押し下げられると、可動フレーム１０６は、主面部１１８に設けられたワイヤ１２２が作動部材１０８のフック１２５に係合される。これにより、ストロボ装置１０１は、コイルバネ１０７の付勢力に対抗して、格納位置に保持される。
【００１０】
【特許文献１】特開２００２−２５０９６２号公報
【発明の開示】
【発明が解決しようとする課題】
【００１１】
以上のように、撮像装置１００のストロボ装置１０１は、軸１１０に支持された可動フレーム１０６が、コイルバネ１０７の付勢力を受けてポップアップ位置へ回動されるものである。また、可動フレーム１０６は、側壁１１９，１１９に穿設され軸１１０が挿通される軸孔１２４を回動中心として、ポップアップ位置まで回動される。したがって、側壁１１９，１１９の軸孔１２４には、ポップアップ動作毎に負荷がかかるため、図１５に示す軸孔１２４の穿設位置と側壁１１９の上端部との厚さ（Ｔ）はできるだけ確保することが、可動フレーム１０６の安定した動作や耐久性を確保する上で望ましい。
【００１２】
一方、可動フレーム１０６を付勢するコイルバネ１０７は、可動フレーム１０６をポップアップ位置に回動させることができれば、その付勢力が低いほど可動フレーム１０６の側壁１１９，１１９の軸孔１２４にかかる負荷は小さく、また、ユーザが手動によりストロボ装置１０１を格納位置に押し下げ易くなる。
【００１３】
しかし、コイルバネ１０７は、可動フレーム１０６の側壁１１９に穿設される軸孔１２４と側壁１１９の上端部との厚さ（Ｔ）はできるだけ確保するのが望ましく、また、ストロボ装置１０１の外装体１１７の設計制約上、軸孔１２４と側壁１１９の上端部との厚さ（Ｔ）を確保すると径の太い軸１１０を用いることができない場合がある。この場合、軸１１０が挿通されるコイルバネ１０７も、軸１１０の径に応じてコイル径の小さいものを用いざるを得ない。
【００１４】
一方、コイルバネ１０７のコイル径を小さくすると、可動フレーム１０６にかかる付勢力が上がり、ポップアップ動作毎に側壁１１９の軸孔１２４に過負荷がかかるため、ストロボ装置１０１の安定したポップアップ動作を確保することができない。
【００１５】
また、コイルバネ１０７の付勢力が上がることにより、可動フレーム１０６の回動動作を規制するガイド孔１１５に、ポップアップ動作のたびに過剰な衝撃が加わり、装置本体１０２のブレや、ノイズの原因となるのみならず、耐久性を損なうおそれもある。
【００１６】
そこで、本発明は、ポップアップ動作に最適な付勢力を備えたコイルバネを用い、また、ポップアップ動作時のブレやノイズを押さえて、耐久性も向上される閃光装置のポップアップ機構及びこの閃光装置のポップアップ機構を備えた撮像装置を提供することを目的とする。
【課題を解決するための手段】
【００１７】
上述した課題を解決するために、本発明にかかる閃光装置のポップアップ機構は、ポップアップ位置と格納位置とを移動可能に支承されている閃光装置と、上記閃光装置を支持する支持部材と、上記支持部材が上記閃光装置のポップアップ位置と格納位置とに亘って回動自在に取り付けられたベース板と、両端が上記ベース板に挿通され、上記支持部材を上記ベース板に軸支させる軸部材と、上記軸部材に挿通されるとともに、一端が上記ベース部材に係止され、他端が上記支持部材に係止されることにより、上記支持部材を上記閃光装置のポップアップ位置に付勢するコイルバネと、上記支持部材を上記閃光装置の上記格納位置に係止させる係止手段とを備え、上記軸部材には、上記コイルバネとの間に該コイルバネの径に応じた径を有する中空円筒状のスリーブ部材が嵌合されている。
【００１８】
また、本発明にかかる閃光装置のポップアップ機構は、ポップアップ位置と格納位置とを移動可能に支承されている閃光装置と、上記閃光装置を支持する支持部材と、上記支持部材が上記閃光装置のポップアップ位置と格納位置とに亘って回動自在に取り付けられたベース板と、両端が上記ベース板に挿通され、上記支持部材を上記ベース板に軸支させる軸部材と、上記軸部材に挿通されるとともに、一端が上記ベース部材に係止され、他端が上記支持部材に係止されることにより、上記支持部材を上記閃光装置のポップアップ位置に付勢するコイルバネと、上記支持部材を上記閃光装置の上記格納位置に係止させる係止手段とを備え、上記ベース板は、上記閃光装置のポップアップ位置に回動された上記支持部材が突き当てられることにより上記支持部材の回動を規制する規制板を備え、該規制板に、上記支持部材の突き当て時における衝撃を吸収する弾性部材が取り付けられている。
【００１９】
また、本発明にかかる撮像装置は、ポップアップ位置と格納位置とを移動可能に支承されている閃光装置と、上記閃光装置を支持する支持部材と、上記支持部材が上記閃光装置のポップアップ位置と格納位置とに亘って回動自在に取り付けられたベース板と、両端が上記ベース板に挿通され、上記支持部材を上記ベース板に軸支させる軸部材と、上記軸部材に挿通されるとともに、一端が上記ベース部材に係止され、他端が上記支持部材に係止されることにより、上記支持部材を上記閃光装置のポップアップ位置に付勢するコイルバネと、上記支持部材を上記閃光装置の上記格納位置に係止させる係止手段と、上記軸部材には、上記コイルバネとの間に該コイルバネの径に応じた径を有する中空円筒状のスリーブ部材が嵌合されている閃光装置のポップアップ機構を備える。
【００２０】
また、本発明にかかる撮像装置は、ポップアップ位置と格納位置とを移動可能に支承されている閃光装置と、上記閃光装置を支持する支持部材と、上記支持部材が上記閃光装置のポップアップ位置と格納位置とに亘って回動自在に取り付けられたベース板と、両端が上記ベース板に挿通され、上記支持部材を上記ベース板に軸支させる軸部材と、上記軸部材に挿通されるとともに、一端が上記ベース部材に係止され、他端が上記支持部材に係止されることにより、上記支持部材を上記閃光装置のポップアップ位置に付勢するコイルバネと、上記支持部材を上記閃光装置の上記格納位置に係止させる係止手段とを備え、上記ベース板は、上記閃光装置のポップアップ位置に回動された上記支持部材が突き当てられることにより上記支持部材の回動を規制する規制板を備え、該規制板に、上記支持部材の突き当て時における衝撃を吸収する弾性部材が取り付けられている閃光装置のポップアップ機構を備える。
【発明の効果】
【００２１】
以上のような閃光装置のポップアップ機構及びこれを用いた撮像装置によれば、軸部材とコイルバネとの間に、軸部材の径と略同一の内径を備えると共に、最適な付勢力を有するコイルバネのコイル径と略同一の外径を備えるスリーブ部材を介在させることで、本発明に係るポップアップ機構は、閃光装置のポップアップ動作に最適な付勢力を有するコイルバネを設けることができる。
【００２２】
これにより、支持部材は、コイルバネの最適な付勢力を受けて、閃光装置をポップアップ位置に上昇させる方向へ回動される。したがって、支持部材は過大な負荷をかけることなく、また、ベース板との衝撃が緩和され、衝撃による振動やノイズを軽減させることができる。
【発明を実施するための最良の形態】
【００２３】
以下、本発明が適用された閃光装置のポップアップ機構を用いた撮像装置について、図面を参照しながら詳細に説明する。この撮像装置１は、図１に示すように、撮像レンズ３を備え、この撮像レンズ３から光学レンズ群を介して入射した被写体像の映像信号を生成するＣＣＤ（charge coupled device）等の撮像素子及びステレオマイク４が組み込まれたレンズ鏡筒５と、映像信号及び音声信号が記録される磁気テープ等の記録媒体を収納し、記録又は再生を行う記録再生機構部６と、撮像レンズ３に写る映像や再生画像が表示される液晶表示パネル７とからなる装置本体２を有する。
【００２４】
レンズ鏡筒５は、前面５ａに撮像レンズ３が設けられ、背面５ｂに撮像レンズ３に写る被写体を覗くためのビューファインダー８が設けられ、上面５ｃにステレオマイク４やストロボ装置９が設けられている。また、レンズ鏡筒５の一側面５ｄには、動画像の記録ボタン、ズームレバー、静止画像を撮影するためのシャッタ等を有する操作部１１が設けられている。
【００２５】
また、装置本体２の一側面２ａには液晶表示パネル７がヒンジ部１２を介して取り付けられている。液晶表示パネル７は、表示パネル部７ａと、背面部７ｂとを有し、装置本体２に対してヒンジ部１２を介して、図２に示すように、表示パネル部７ａが操作者側に回動可能とされると共に、図３に示すように、被写体側に回動可能とされている。これにより、液晶表示パネル７は、不使用時には背面部７ｂを表にして装置本体２の一側面２ａと略面一に収納され、使用時にはヒンジ部１２を介して回動され、表示パネル部７ａを操作者側に向けることにより被写体を見ながら撮像可能とされ、また、表示パネル部７ａを写体側に向けることにより被写体となる人が映像を見ながら撮像可能とされている。
【００２６】
なお、装置本体２は、液晶表示パネル７の下方に、駆動源となるバッテリーパックが着脱自在に取り付けられている。また、装置本体２は、他側面２ｂ側に、操作者が装置本体を把持するためのベルト１３が取り付けられている。
【００２７】
次いで、レンズ鏡筒５の上面５ｃに設けられているストロボ装置９について説明する。このストロボ装置９は、静止画の撮影時に被写体光量が確保されているときには、図１に示すように、レンズ鏡筒５内の格納位置に収納され、被写体光量が不足しているときには、図４に示すように、レンズ鏡筒５内の格納位置からポップアップ位置に跳ね上げられ、フラッシュ発光が可能とされる。
【００２８】
このストロボ装置９のポップアップ機構１５は、図５及び図６に示すように、レンズ鏡筒５の上面５ｃに組み付けられるベースフレーム１６と、ベースフレーム１６にポップアップ位置と格納位置とに亘って回動可能に支持されるとともにストロボ装置９が取り付けられた可動フレーム１７と、可動フレーム１７をポップアップ位置に付勢する付勢部材１８と、ベースフレーム１６に回転自在に取り付けられ可動フレーム１７をストロボ装置９の格納位置に係止させる作動部材１９とを備える。
【００２９】
可動フレーム１７を支持するベースフレーム１６は、左右一対のハーフからなる装置本体２が突き合わされることにより、レンズ鏡筒５の上面５ｃに挟持されている。このベースフレーム１６は、略矩形板状に形成された主面部２１と、可動フレーム１７を支持する軸２２が挿通される軸孔２３を備える一対の軸受け壁２４，２４と、主面部１８に開口され作動部材１９を操作するプランジャー２６が配設される開口部２７とを有する。
【００３０】
軸受け壁２４，２４は、主面部２１の長手方向の両側縁より立ち上がり形成されている。また、軸受け壁２４，２４は、可動フレーム１７を支持する軸２２が挿通される軸孔２３が形成され、この軸孔２３に軸２２が挿通されるとともに、この軸２２に可動フレーム１７の回動支持部３４が挿通支持されることにより、可動フレーム１７を回動自在に支持している。また、一方の軸受け壁２４には、後述する可動フレーム１７をポップアップ位置に付勢するコイルバネ３０の一端３０ａが係止されるバネ係止部２８が形成されている。
【００３１】
さらに、軸受け壁２４，２４は、ポップアップ位置に回動された可動フレーム１７の回動領域を規制する規制片２９が形成されている。規制片２９は、ポップアップ位置に跳ね上げられた可動フレーム１７の突当て片３５が突き当てられることにより、可動フレーム１７を係止し、回動領域を所定のポップアップ位置に規制する。また、規制片２９は、可動フレーム１７の突当て片３５が突き当てられた際の衝撃を吸収するダンパー部材３１が配設されている。ダンパー部材３１は、突当て片３５による突き当ての衝撃を吸収することにより、可動フレーム１７がストロボ装置９のポップアップ位置への回動動作に伴う規制片２９及び突当て片３５にかかる衝撃を吸収するとともに、衝突による振動やノイズが撮影に及ぼす影響を最小に抑えることができる。また、ダンパー部材３１は、シリコンゴム等の導熱性弾性体により形成されることにより、放熱性に優れ、ストロボ装置９内にこもる熱をベースフレーム１６側へ導熱することにより放熱させることができる。
【００３２】
軸受け壁２４，２４に回動自在に支持される可動フレーム１７は、図７に示すように、ストロボ装置９が取り付けられ、ストロボ装置９をポップアップ位置と格納位置とに亘って回動させるものである。この可動フレーム１７は、ストロボ装置９が取り付けられる取付部３３と、ベースフレーム１６の軸受け壁２４，２４に回動可能に支持される回動支持部３４と、軸受け壁２４，２４に設けられた規制片２９に突き当てられる突当て片３５を有する。
【００３３】
取付部３３は、略矩形板状に形成され、ストロボ装置９がネジ止めされるネジ孔が複数形成されている。また、取付部３３は、後述する作動部材１９のフック片５１が係止されるワイヤ３７が係止されているワイヤ係止部３８が形成されている。ワイヤ３７は、剛性を有する針金等、線条の金属からなり、略コ字状に折り曲げられると共に、取付部３３に複数形成されたワイヤ係止部３８に係止されている。ワイヤ係止部３８は、フック片５１が挿通される係止孔３９を備え、この係止孔３９にワイヤ３７を架け渡すように係止している。また、ワイヤ係止部３８は、ワイヤ３７を略コ字状に保持すると共に、係止孔３９に架け渡されたワイヤ３７の一端部３７ａを、図５中矢印Ｅ方向に弾性変位自在に係止させている。ワイヤ３７は、図５中矢印Ｅ方向に弾性変位することにより、係止孔３９を挿通されたフック片５１の傾斜面を摺動することによりフック部５５に係合され、またフック部５５との係合が解除される。
【００３４】
また、係止孔３９は、後述するコイルバネ３０の他端３０ｂが係止されるバネ係止部４０が形成されている。そして、可動フレーム１７は、取付部３３のバネ係止部４０に、一端３０ａがベースフレーム１６の軸受け壁２４のバネ係止部２８に係止されたコイルバネ３０の他端３０ｂが係止されることにより、コイルバネ３０によって、回動支持部３４を回動支点に、常時、ポップアップ位置に向かう図５及び図６中矢印Ｐ方向に付勢されている。
【００３５】
回動支持部３４は、取付部３３の一対の側縁部より立ち上がり形成され、軸２２が挿通される軸孔４１が穿設されている。そして、可動フレーム１７は、軸孔４１に、ベースフレーム１６の軸受け壁２４，２４に挿通された軸２２が挿通されることにより、軸受け壁２４，２４に図５及び図６中矢印Ｐ方向又は反矢印Ｐ方向に回動可能に支持されている。また、回動支持部３２は、ベースフレーム１６の軸受け壁２４に設けられ可動フレーム１７の回動領域を規制する規制片２９に突き当てられる突当て片３５が形成されている。突当て片３５は、可動フレーム１７が図５及び図６中矢印Ｐ方向へ回動されると、ベースフレーム１６の規制片２９に突き当てられ、可動フレーム１７の回動が規制される。さらに、回動支持部３４近傍には、作動部材１９が当接されることにより、作動部材１９をフック片５１とワイヤ３７とが係合し得る位置まで回転させる当接片４２が形成されている。当接片４２は、プランジャー２６によりフック片５１とワイヤ３７との係合が解除される図５中矢印Ｆ方向に回転されると、作動部材１９のリターン片と当接され図５中反矢印Ｆ方向へ回転させ、作動部材１９を再度、フック片５１とワイヤ３７とが係合可能な位置に待機させる。
【００３６】
次いで、この可動フレーム１７をストロボ装置９のポップアップ位置に回動付勢する付勢部材１８について説明する。この付勢部材１８は、一端３０ａがベースフレーム１６の軸受け壁２４のバネ係止部２８に係止され、他端３０ｂが可動フレーム１７の取付部３３に形成されたバネ係止部４０に係止されたコイルバネ３０と、ベースフレーム１６の軸受け壁２４，２４及び可動フレーム１７の回動支持部３４に挿通され可動フレーム１７を回動自在に支持する軸２２と、軸２２が挿通されるとともにコイルバネ３０の径に応じた外径を有するスリーブ４５とを有する。
【００３７】
そして、付勢部材１８は、軸２２がスリーブ４５に挿通され、さらにこのスリーブ４５がコイルバネ３０に挿通され、また、軸２２の両端が軸受け壁２４，２４の軸孔２３及び回動支持部３４，３４の軸孔４１に挿通されることによりベースフレーム１６の軸受け壁２４，２４間に配設されている。そして、可動フレーム１７に取り付けられたストロボ装置９は、軸２２に支持された可動フレーム１７が、コイルバネ３０の付勢力を受けてポップアップ位置へ回動される。このとき、可動フレーム１７は、一対の回動支持部３４，３４に穿設され軸２２が挿通されている軸孔４１を回動中心としてポップアップ位置まで回動される。
【００３８】
スリーブ４５は、中空円筒形に形成され、内径が軸２２の外径と略同一とされると共に、外径がコイルバネ３０の径と略同一に形成されている。このスリーブ４５を用いることにより、付勢部材１８は、ストロボ装置９のポップアップ動作に最適な付勢力を持つコイルバネ３０を用いることができる。
【００３９】
すなわち、ストロボ装置９のポップアップ機構１５は、ストロボ装置９のポップアップ位置への回動やユーザによる格納位置への押し下げるための最適な付勢力を持つコイルバネ３０が用いられる必要がある。また、上述したように、可動フレーム１７は、ポップアップ動作毎に軸孔４１に負荷がかかるため、図８に示すように、軸孔４１の穿設位置と回動支持部３４の上端部との厚さ（Ａ）はできるだけ厚くすることが、可動フレーム１７の安定した動作や耐久性を確保する上で望ましい。
【００４０】
一方、可動フレーム１７を付勢するコイルバネ３０は、可動フレーム１７をポップアップ位置に回動させることができれば、その付勢力は低いほど可動フレーム１７の回動支持部３４の軸孔４１にかかる負荷は小さく、また、ユーザが手動によりストロボ装置９を格納位置に押し下げ易くなる。しかし、コイルバネ３０は、可動フレーム１７の回動支持部３４に穿設される軸孔４１と回動支持部３４の上端部との厚さはできるだけ厚くすることが望ましく、また、ストロボ装置９の設計制約上、軸孔４１の穿設位置と回動支持部３４の上端部との厚さ（Ａ）を確保することができない場合がある。この場合、径の太い軸２２を用いることができず、コイルバネ３０も径が小さく付勢力の大きいものを用いることになる。これにより、可動フレーム１７にかかる付勢力が上がり、ポップアップ動作毎に回動支持部３４の軸孔４１に過大な負荷がかかるため、ストロボ装置９の安定したポップアップ動作や耐久性が損なわれる他、ポップアップ動作のたびに、可動フレーム１７の回動領域を規制するベースフレーム１６の規制片２９に過剰な衝撃が加わり、装置本体２のブレやノイズの原因となる。
【００４１】
ここで、本発明にかかるポップアップ機構によれば、コイルバネ３０のコイル径に応じた外径を有するスリーブ４５が軸２２に挿通されているため、最適な付勢力を有するコイルバネ３０がスリーブ４５を介して軸２２に取り付けられる。したがって、付勢部材１８は、最適な付勢力を持つコイルバネ３０のコイル径が軸２２の径より大きい場合にも、軸２２にスリーブ４５が挿通されることで、スリーブ４５の外径に応じたコイルバネ３０が用いられ、最適な付勢力で可動フレーム１７を回動させることができる。
【００４２】
次いで、可動フレーム１７のポップアップ動作を規制する作動部材１９について説明する。作動部材１９は、ベースフレーム１６に回転自在に取り付けられた回転部５０と、可動フレーム１７の取付部３３に支持されたワイヤ３７が係止することにより可動フレーム１７のポップアップ動作を規制するフック片５１と、作動部材１９を回転させるプランジャー２６に接続される接続部５２と、可動フレーム１７の当接片４２と当接されることにより作動部材１９をフック片５１とワイヤ３７とが係合し得る位置まで回転させるリターン片５３とを有する。
【００４３】
回転部５０は、略円盤状に形成され、中心部にビスが挿通されるとともに、このビスがベースフレーム１６の主面部２１にかしめられることにより、主面部２１に回転自在に取り付けられている。
【００４４】
ワイヤ３７が係止されることにより可動フレーム１７のポップアップ動作を規制するフック片５１は、回転部５０の外周縁の一部より立ち上がり形成されている。フック片５１は、先端部に鉤状のフック部５５が設けられている。フック部５５は、上側面がワイヤ３７が摺動可能に下方に傾斜する摺動斜面５５ａとされ、下側面がワイヤ３７が係止される仰角の引っ掛け斜面５５ｂとされている。
【００４５】
そして、フック片５１は、可動フレーム１７が格納位置に押下されると、取付部３３の係止孔３９を挿通し、係止孔３９に架け渡されているワイヤ３７の一端部３７ａが摺動斜面５５ａを摺動して引っ掛け斜面５５ｂに係止される。これにより、フック片５１は、可動フレーム１７を格納位置に保持することができる。また、フック片５１は、後述するプランジャー２６の磁気吸引力がキャンセルされると、コイルバネ３０の付勢力を受けたワイヤ３７が引っ掛け斜面５５ｂを摺動することにより、回転部５０とともに図５中矢印Ｆ方向に回転され、ワイヤ３７と引っ掛け斜面５５ｂとの係合が外れ、可動フレーム１７をポップアップ位置まで回動させる。
【００４６】
プランジャー２６に接続される接続部５２は、回転部５０の外周縁の一部より延設されたアーム部５６と、アーム部５６の主面に突設され、プランジャー２６の鉄片６３に形成された接続孔６３ａに挿入された突部５７とを有する。そして、接続部５２は、プランジャー２６の鉄片６３が磁気吸着されるとアーム部５６を介して回転部５０及びフック片５１を図５中反矢印Ｆ方向に回転、保持させる。これにより、フック片５１は、取付板３３に設けられたワイヤ３７を、コイルバネ３０の付勢力に対抗して引っ掛け斜面５５ｂに係止させることができる。また、接続部５２は、プランジャー２６の鉄片６３の磁気吸着が解かれると、回転部５０及びフック片５１を回転自在とする。これにより、フック片５１は、可動フレーム１７をポップアップ位置に回動させるコイルバネ３０の付勢力を受けたワイヤ３７が、引っ掛け斜面５５ｂを摺動することにより上方に押圧され、図５中矢印Ｆ方向へ回転されるとともにワイヤ３７との係合が解除され、可動フレーム１７をポップアップ位置に回動させる。
【００４７】
なお、接続部５２はアーム部５６の先端部がベースフレーム１６の主面部２１に設けられた規制突部６１，６１に移動領域が規制されている。これにより作動部材１９は、回転領域が規制されると共に、鉄片６３の過剰な飛び出しが防止されている。
【００４８】
作動部材１９をフック片５１とワイヤ３７とが係合し得る位置まで回転させるリターン片５３は、ベースフレーム１６に支持された可動フレーム１７の当接片４２に対応して回転部５０の外周縁の一部より延設され、先端に当接片４２に当接する当接部５８が形成されている。このリターン片５３は、プランジャー２６の磁気吸着が解除され、コイルバネ３０の付勢力を受けたワイヤ３７によって、ワイヤ３７との係合が解除される図５中矢印Ｆ方向へ回転された作動部材１９を、再度可動フレーム１７がストロボ装置９の格納位置へ押下された際に、フック片５１とワイヤ３７とを係合させる位置に戻させるものである。
【００４９】
すなわち、作動部材１９は、ストロボ装置９のポップアップ動作の際、回転部５０が図５中矢印Ｆ方向へ回転されると、リターン片５３も図５中矢印Ｆ方向へ回転される。一方、可動フレーム１７がポップアップ位置に付勢されることにより図５中矢印Ｐ方向へ回動されると、回動支持部３４に設けられた当接片４２も軸孔４１を中心に図５中矢印Ｐ方向へ回動される。したがって、リターン片５３は、図６に示すように、可動フレーム１７の当接片４２に突き当てられ、図５及び図６中反矢印Ｆ方向へ回転される。これにより、回転部５０も同様に図５及び図６中反矢印Ｆ方向へ回転され、フック片５１がワイヤ３７を係合可能な位置に回転される。このとき、接続部５２の突部５７が鉄片６３をプランジャー２６内に挿入させるとともに鉄片６３を磁気吸着することにより、フック片５１は、ワイヤ３７との係合位置に保持される。
【００５０】
なお、このような作動部材１９の回転を規制するプランジャー２６は、ベースフレーム１６の主面部２１に形成された開口部２７上を跨ぐように配設され、一部を主面部２１上にビス止めされることによりベースフレーム１６に固定されている。プランジャー２６は、平行状態に一対のマグネットが支持され、これら両マグネットの外周にコイルを巻装したボビンが各々装着されている。そして、ボビンの開口部側から二股上の鉄片６３が挿入され、鉄片６３の先端部が上述したマグネットの先端面に磁気吸着されている。鉄片６３は、これに形成した接続孔６３ａに、作動部材の接続部５２のアーム部５６に突設された突部５７が挿入されている。
【００５１】
そして、プランジャー２６は、コイルが無通電状態のときには、マグネットに発生する磁気吸引力により鉄片６３を吸着し、作動部材１９の接続部５２を図５及び図６中反矢印Ｆ方向へ回転保持する。また、プランジャー２６は、コイルが通電状態とされると、コイルに発生する電磁力によりマグネットの磁気吸引力が消滅し、これにより鉄片６３の吸着力が消滅するため、作動部材１９を回転自在とする。
【００５２】
以上のようなポップアップ機構１５の可動フレーム１７に取り付けられるストロボ装置９は、図７に示すように、外装体を形成する上下一対のカバー６６，６７を有する。下カバー６７は、可動フレーム１７の取付部３３の裏面側に図示しないネジにより固定され、下カバー６７の一部に取付部３３に形成された係止孔３９に連通するようにして透孔６８が形成されている。そして、この下カバー６７に外装体の上面側を形成する上カバー６６が組み付けられている。
【００５３】
上下カバー６６，６７の空間内にはストロボフレーム６９に支持されるようにしてリフレクタ７０を備えた発光管７１が配置されている。そして、この発光管７１の前面側に上下カバー６６，６７に支持されるようにして拡散レンズ７２が取り付けられている。また、ストロボフレーム６９の後方には、ストロボ発光用の電力を供給するコンデンサ７３が配設されている。
【００５４】
このようなストロボ装置９は、図７に示すポップアップ位置から図１に示す格納位置に押下されると、下カバー６７の透孔６８より作動部材１９のフック片５１が挿入され、可動フレーム１７の係止孔３９に設けられたワイヤ３７がフック片５１に係止されることにより、コイルバネ３０の付勢力に対抗して格納位置に保持される。
【００５５】
また、ストロボ装置９は、フラッシュ撮影時においては、プランジャー２６のコイルが無通電状態とされ、コイルバネ３０の付勢力により可動フレーム１７のワイヤ３７とフック片５１との係合が解除されることにより、図７に示すポップアップ位置まで回動される。これにより、ストロボ装置９は、レンズ鏡筒５の前方に向かってフラッシュ発光を行うことができる。
【００５６】
また、ストロボ装置９の上下カバー６６，６７間には、ストロボ発光用の電力を供給するコンデンサ７３が配設されている。コンデンサ７３は、図９に示すように、略円筒状に形成され、上面部７３ａより端子７４が臨まされている。この端子７４は、ストロボ発光用の電流を供給するための電流が流されており、この端子７４に図示しない配線ケーブルが接続され、発光管７１まで電流が供給される。
【００５７】
このようなコンデンサ７３は、図１０に示すような絶縁シール７７が端子７４上に貼着されている。この絶縁シール７７は、ＰＥＴ（polyethylene terephthalate）等の樹脂シートからなり、円筒状のコンデンサ７３の形状に応じて、端子７４が形成された上面部７３ａを覆う円形部７８と、円形部７８より折り曲げられコンデンサ７３の外周面７３ｂに巻き付ける矩形部７９とからなる。矩形部７９は、円形部７８の外縁より連続されるとともに、コンデンサ７３の外周面７３ｂの周回り方向と直交する方向にミシン目が刻まれている。
【００５８】
この絶縁シール７７は、両面テープ等を用い、円形部７８がコンデンサ７３の上面部７３ａに貼着され、矩形部７９がコンデンサ７３の外周部７３ｂに貼着される。このとき、矩形部７９には、外周部７３ｂの周回り方向と直交する方向にミシン目が刻まれているため、外周部７３ｂの周回り方向に折り曲げながら巻き付けるようにして貼着していくことができる。したがって、絶縁シール７７は、コンデンサ７３に確実に貼着されるため、端子７４の絶縁を図ることができる。これにより、ストロボ装置９の組み立て時や修理の際にも、コンデンサ７３の端子７４に触れることによる感電等の事故を防止することができる。
【００５９】
また、従来より、ストロボ装置等のコンデンサの高圧ラインは、安全規格上、空間を広くとらなければならず、ストロボ装置内のスペースが過大となる。また、コンデンサの端子を覆う絶縁物として、絶縁性のキャップ等を用いた場合、コンデンサの形状に応じた金型を作製する必要があり、製造工程の複雑化を招き、コスト的にも不利となる。
【００６０】
これに対して、ストロボ装置９における絶縁シート７７では、絶縁性のシートを貼着するものであるため、ストロボ装９置内のスペースを割く必要もなく、また金型を作製する必要もないため、製造工程の簡略化、低コスト化を図ることができる。さらに、絶縁シート７７は、樹脂製のシートを用いるため、コンデンサ７３の形状に応じた形にカットすることが容易で、絶縁シート７７の樹脂材料を無駄なく利用することができる。
【００６１】
次いで、以上のような構成を備えたストロボ装置９のポップアップ機構１５のポップアップ動作について説明する。ストロボ装置９は、撮像装置１の不使用時や、静止画の撮影時に被写体光量が十分確保されているときには、図１に示すように、レンズ鏡筒５の上面５ｃの格納位置に収納されている。このとき、ポップアップ機構１５は、図１１に示すように、ストロボ装置９が取り付けられた可動フレーム１７がコイルバネ３０の付勢力に対抗して、ストロボ装置９を格納位置に保持する図５及び図６中反中矢印Ｐ方向に回動保持されている。
【００６２】
具体的に、可動フレーム１７は、取付板３３のワイヤ係止部３８に係止されたワイヤ３７が、係止孔３９を挿通されたフック片５１の引っ掛け斜面５１ｂに係止されることにより、コイルバネ３０の付勢力による図５及び図６中矢印Ｐ方向への回動が規制されている。このとき、プランジャー２６のコイルが無通電状態とされることにより鉄片６３がマグネットに磁気吸引されているため、鉄片６３と接続された接続部５２を介して作動部材１９が図５及び図６中反矢印Ｆ方向へ回動保持されている。また、プランジャー２６の鉄片６３を吸引する力はコイルバネ３０による可動フレーム１７をポップアップ位置へ回動させる付勢力よりも大きくされている。したがって、ワイヤ３７を係止しているフック片５１は、ワイヤ３７が取り付けられた可動フレーム１７をポップアップ方向である図５及び図６中矢印Ｐ方向へ付勢するコイルバネ３０の付勢力にかかわらず、図５及び図６中反矢印Ｆ方向へ回動付勢され、ワイヤ３７を引っ掛け斜面５１ｂに係止させ、ストロボ装置９を格納位置に収納している。
【００６３】
また、静止画の撮影時に被写体光量が不足している際、ポップアップ機構１５は、自動的に、又はポップアップ釦等が操作されることにより、ストロボ装置９のポップアップ動作を行う。具体的には、ポップアップ機構１５は、先ずプランジャー２６のコイルにパルス信号が印加されることで、プランジャー２６内に設けられたマグネットの磁気力がキャンセルされる。これにより、プランジャー２６のボビンより鉄片６３が抜き出し自在とされる。鉄片６３の磁気吸引力がキャンセルされることにより、接続部５２を介して鉄片６３と接続された作動部材１９は、図１２に示すように、可動フレーム１７をポップアップ位置に回動付勢するコイルバネ３０の付勢力を受けて、フック片５１に係止されているワイヤ３７がフック片５１の引っ掛け斜面５１ｂを摺動し、図５及び図６中矢印Ｆ方向に回転される。
【００６４】
これにより、ワイヤ３７とフック片５１との係合が外れ、可動フレーム１７は、コイルバネ３０の付勢力を受けて、回動支持部３４の軸孔４１を回動中心として、ストロボ装置９をポップアップ位置に上昇させる図５及び図６中矢印Ｐ方向へ回動される。可動フレーム１７は、回動支持部３４に形成された突当て片３５がベースフレーム１６の軸受け壁２４に設けられた規制片２９に突き当てられることにより、回動領域が規制される。このとき、ベースフレーム１６の規制片２９には、ダンパー部材３１が取り付けられているため、可動フレーム１７の突当て片３５が突き当てられた際にも、突き当ての衝撃がダンパー部材３１により吸収され、突き当て時の振動やノイズによる影響を抑えることができる。なお、ダンパー部材３１は、シリコンゴム等の導熱性弾性体により形成されることにより、放熱性に優れ、ストロボ装置９内に籠もる熱をベースフレーム１６を介して放熱させることができる。
【００６５】
また、可動フレーム１７をストロボ装置９のポップアップ位置に回動させる付勢部材１８は、軸２２が挿通されるコイルバネ３０のコイル径に応じたスリーブ４５が軸２２とコイルバネ３０との間に介在されているため、軸２２の径にかかわらず、可動フレーム１７の回動に適した付勢力を備えたコイルバネ３０が用いられている。すなわち、可動フレーム１７の回動支持部３４の軸孔４１にかかる負荷を考慮して、図８に示す軸孔４１の穿設位置と回動支持部３４の上端部との厚さ（Ａ）は、所定の厚さを確保する必要がある一方で、径の細い軸２２に応じたコイル径を有するコイルバネ３０を用いた場合には付勢力が過大となり、ポップアップ動作毎に軸孔４１に過剰な負荷が加わり、ストロボ装置９の安定したポップアップ動作や耐久性が損なわれるほか、可動フレーム１７の突当て片３５とベースフレーム１６の規制片２９との突き当て時の衝撃が大きく、装置本体２の振動やノイズの原因となる。
【００６６】
しかし、軸２２とコイルバネ３０との間に、軸２２の径と略同一の内径を備えると共に、最適な付勢力を有するコイルバネ３０のコイル径と略同一の外径を備えるスリーブ４５を介在させることで、本発明に係るポップアップ機構１５は、図８に示す可動フレーム１７の回動支持部３４の軸孔４１と上端部との厚さ（Ａ）を確保すると同時に、コイル径が太くストロボ装置９のポップアップ動作に最適な付勢力を有するコイルバネ３０を設けることができる。
【００６７】
これにより、可動フレーム１７は、コイルバネ３０の最適な付勢力を受けて、回動支持部３４の軸孔４１を回動中心として、ストロボ装置９をポップアップ位置に上昇させる図５及び図６中矢印Ｐ方向へ回動される。したがって、可動フレーム１７は、回動支持部３４の軸孔４１に過大な負荷をかけることなく、また、突当て片３５とベースフレーム１６の規制片２９との衝撃が緩和され、衝撃による振動やノイズを軽減させることができる。
【００６８】
また、作動部材１９が図６中矢印Ｆ方向へ回転されることにより、リターン片５３も図６中矢印Ｆ方向へ回転される。一方、可動フレーム１７が図６中矢印Ｐ方向へ回動されることにより、回動支持部３４に設けられた当接片４２も図６中矢印Ｐ方向へ回動される。これにより、リターン片５３は、可動フレーム１７の回動動作に伴い当接片４２に突き当てられ、図６中反矢印Ｆ方向へ突き当てられる。したがって、作動部材１９が当接片４２によって図６中反矢印Ｆ方向へ回転されることにより、フック片５１は、再度可動フレーム１７に係止されたワイヤ３７を係止可能な位置に回転される。また、接続部５２のアーム部５６に突設された突部５７が、鉄片６３をプランジャー２６のボビン側に押し込む。このとき、プランジャー２６は、コイルが無通電状態とされることによりマグネットの磁力で鉄片６３を磁気吸引する。したがって、作動部材１９のフック片５１は、図６中反矢印Ｆ方向へ回動保持され、可動フレーム１７のワイヤ３７を係止可能な位置に保持される。
【００６９】
可動フレーム１７が図６中矢印Ｐ方向へ回動されることにより、ストロボ装置９は、図４に示すように、ポップアップ位置に回動され、レンズ鏡筒５の前方に向かって発光可能とされる。そして、ストロボ撮影終了後、ストロボ装置９は、ユーザによりポップアップ位置から格納位置まで押下されることによりレンズ鏡筒５内に収納される。
【００７０】
ストロボ装置９が押下されると、ストロボ措置９の下カバー６７に設けられた透孔６８より作動部材１９のフック片５１が挿通される。また、上述したように、フック片５１は、ワイヤ３７と再度係止可能な位置に回転保持されているため、さらにストロボ装置９が挿通されると、フック片５１は、透孔６８と連通された可動フレーム１７の係止孔３９を挿通し、係止孔３９に架け渡されるように係止されているワイヤ３７が、図５及び図６中矢印Ｅ方向へ撓まされながら摺動斜面５１ａを摺動し、引っ掛け斜面５１ｂに係止される。
【００７１】
そして、作動部材１９が接続部５２を介してプランジャー２６の鉄片６３と接続され、また、プランジャー２６のマグネットが鉄片６３を磁気吸引する力が可動フレーム１７をポップアップ位置へ回動させるコイルバネ３０の付勢力よりも大きく形成されていることから、フック片５１は、図５及び図６中矢印Ｐ方向へ回動付勢された可動フレーム１７のワイヤ３７が受ける付勢力に対抗して、図５及び図６中反矢印Ｆ方向へ回動保持される。これにより、ストロボ装置９は、可動フレーム１７がポップアップ位置に回動されることなく、格納位置に収納保持される。
【００７２】
このとき、可動フレーム１７をストロボ装置９のポップアップ位置に回動付勢する付勢部材１８は、上述したように、軸２２とコイルバネ３０との間に、軸２２の径と略同一の内径を備えると共に、最適な付勢力を有するコイルバネ３０のコイル径と略同一の外径を備えるスリーブ４５を介在させることで最適な付勢力を有するコイルバネ３０が設けられている。したがって、可動フレーム１７をストロボ装置９の格納位置に押下する際にも、ユーザは過大な押下げ力を要することなく、容易にストロボ装置９を格納位置に収納することができる。
【００７３】
なお、このストロボ装置９のポップアップ機構１５においては、ストロボ装置９を把持し、ポップアップ位置まで引き上げるようにしてもよい。すなわち、図１に示すように、格納位置に収納されているストロボ装置９の外装体を構成する上下カバー６６，６７を、ユーザが把持し、ポップアップ位置まで回動させることもできる。この場合、ストロボ装置９が強制的に回動されることにより、ストロボ装置９が取り付けられた可動フレーム１７は、ワイヤ３７がフック片５１の引っ掛け斜面５１ｂに係止されたまま強制的に図６中矢印Ｐ方向へ回動される。このとき、ワイヤ３７を係止しているフック片５１は、作動部材１９の接続部５２を介して接続されている鉄片６３がプランジャー２６のマグネットにより磁気吸引されているため、図６中反矢印Ｆ方向へ回動保持されている。
【００７４】
そこで、可動フレーム１７は、ワイヤ３７が図６中矢印Ｅ方向へ撓みながらフック片５１の引っ掛け斜面５１ｂをフック部５５の先端に向かって摺動していくことにより、ワイヤ３７とフック片５７との係合が解除される。ワイヤ３７とフック片５１との係合が解除された後は、コイルバネ３０の付勢力によって、可動フレーム１７がストロボ装置９のポップアップ位置まで回動される。
【００７５】
なお、このときも、可動フレーム１７の回動支持部３４に形成された突当て片３５がベースフレーム１６の規制片２９に突き当てられることにより、可動フレーム１７の回動領域が規制される。また、規制片２９にダンパー部材３１が取り付けられることにより、可動フレーム１７の突当て片３５とベースフレーム１６の規制片２９とが突き当てられる際の衝撃が緩和され、また衝撃の振動やノイズを抑えることができる。
【００７６】
さらに、ストロボ装置９のポップアップ機構１５においては、ダンパー部材３１を、例えばパワートランジスタとヒートシンクとの導熱に用いられるようなシリコンゴム等の導熱性弾性体で形成することにより、ストロボ装置９の閃光により発生した熱を、このダンパー部材３１を介してベースフレーム１６側に導熱し、ストロボ装置９内より放熱することができる。このシリコンゴム等の導熱性弾性体からなるダンパー部材３１は、モールド成形により形成することができる。
【００７７】
また、本発明は、ストロボばかりでなく、いわゆるビデオライトやビデオライトとストロボの両機能を併せ持つ照明装置等にも適用することができる。ここで、本発明をビデオライトに適用した場合、所定の時間、ライトが点灯し続けることとなるので、熱対策は重要な要素となるが、ダンパー部材３１のような導熱性弾性体を用いることにより、ビデオライト等の照明装置の放熱を図ることができる。
【産業上の利用可能性】
【００７８】
以上、本発明にかかるストロボ装置のポップアップ機構が適用された撮像装置について説明したが、本発明は、動画及び静止画の撮像装置のみならず、静止画のみの撮像装置に適用してもよい。また、デジタルスチルカメラ、銀塩カメラ、レンズ付きフィルム、カメラ付き携帯電話等、ストロボ装置を備えた電子機器のポップアップ機構に適用することができる。
【図面の簡単な説明】
【００７９】
【図１】本発明に係る閃光装置のポップアップ機構が適用された撮像装置を前面側から示す斜視図である。
【図２】本発明に係る閃光装置のポップアップ機構が適用された撮像装置を背面側から示す斜視図である。
【図３】本発明に係る閃光装置のポップアップ機構が適用された撮像装置を背面側から示す斜視図である。
【図４】ストロボ装置がポップアップ位置に跳ね上げられた撮像装置を示す斜視図である。
【図５】本発明が適用されたストロボ装置のポップアップ機構を示す分解斜視図である。
【図６】本発明が適用されたストロボ装置のポップアップ機構を示す斜視図である。
【図７】ストロボ装置が取り付けられたポップアップ機構を示す断面図である。
【図８】付勢部材を示す断面図である。
【図９】ストロボ装置内に配設されたコンデンサを示す斜視図である。
【図１０】コンデンサに貼着される絶縁シールを示す斜視図である。
【図１１】ストロボ装置９が格納位置に収納されている際のポップアップ機構を示す平面図である。
【図１２】ストロボ装置９がポップアップ位置に回動されている際のポップアップ機構を示す平面図である。
【図１３】ストロボ装置が格納された状態の従来の撮像装置を示す斜視図である。
【図１４】ストロボ装置がポップアップ位置に跳ね上げられた状態の従来の撮像装置を示す斜視図である。
【図１５】従来のポップアップ機構を示す分解斜視図である。
【図１６】ポップアップ位置に回動された従来のポップアップ機構を示す斜視図である。
【符号の説明】
【００８０】
１  撮像装置、２  装置本体、５  レンズ鏡筒、９  ストロボ装置、１５  ポップアップ機構、１６  ベースフレーム、１７  可動フレーム、１８  付勢部材、１９  作動部材、２１  主面部、２２  軸、２３  軸孔、２４  軸受け壁、２６  プランジャー、２７  開口部、２８  バネ係止部、２９  規制片、３０  コイルバネ、３１  ダンパー部材、３３  取付部、３４  回動支持部、３５  突当て片、３７  ワイヤ、３８  ワイヤ係止部、３９  係止孔、４０  バネ係止部、４１  軸孔、４２  当接片、４５  スリーブ、５０  回転部、５１  フック片、５２  接続部、５３  リターン片、５５  フック部、６３  鉄片、６６，６７  上下カバー、７３  コンデンサ、７４  端子、７７  絶縁シール、７８  円形部、７９  矩形部
【図１】
2005077537.tif 000003
【図２】
2005077537.tif 000004
【図３】
2005077537.tif 000005
【図４】
2005077537.tif 000006
【図５】
2005077537.tif 000007
【図６】
2005077537.tif 000008
【図７】
2005077537.tif 000009
【図８】
2005077537.tif 000010
【図９】
2005077537.tif 000011
【図１０】
2005077537.tif 000012
【図１１】
2005077537.tif 000013
【図１２】
2005077537.tif 000014
【図１３】
2005077537.tif 000015
【図１４】
2005077537.tif 000016
【図１５】
2005077537.tif 000017
【図１６】
2005077537.tif 000018